(57)【要約】【課題】音声信号や生理信号ですばやく、様々な動作を制御することができるアダルトグッズを提供する。【解決手段】  外部接続式、或いは内部に設けて音声信号により様々な動作のモデルを提供する音声制御手段と、  環境、生物信号を感知して、音声制御手段に送信し、利用者の生理信号による動作のモデルを提供するケーブル接続式の感知手段と、  音声制御手段から駆動信号を受信して動作のモデルに対応して動きを変化させるケーブル接続式の電動のアダルトグッズの本体とを含んでなる。【選択図】  図１
0003135671.tif 000002
【実用新案登録請求の範囲】
【請求項１】
外部接続式、或いは内部に設けて音声信号により様々な動作のモデルを提供する音声制御手段と、
環境、生物信号を感知して、音声制御手段に送信し、利用者の生理信号による動作のモデルを提供するケーブル接続式の感知手段と、
音声制御手段から駆動信号を受信して動作のモデルに対応して動きを変化させるケーブル接続式の電動のアダルトグッズの本体とを含んでなることを特徴とするアダルトグッズ。
【請求項２】
前記音声制御手段が、入力端と、出力端と、音声周波数入力端と、音声出力モジュールと、ミキサーと、音声周波数アンプと、音量・音質コントローラーと、モデル選択電気回路と、信号処理電気回路と、音声周波数分析電気回路と、音声周波数分類データ表と、運動モデルデータ表と、駆動用電気回路と、出力サイズ制御手段と、電源用電気回路とを含んでなることを特徴とする請求項１に記載するアダルトグッズ。
【請求項３】
前記動作モデルが、入力された音声の大きさの変化によって速さを変更するモデル、特定の周波数により動くモデル、特定の間隔の音声で動くモデル、外部の照明の明るさで制御されるモデル、利用者の生理信号の変化で制御されるモデル、変化が設定された制御のモデルなどを含んでなることを特徴とする請求項１に記載するアダルトグッズ。
【請求項４】
前記外部接続式が、ＤＶＤ、ＶＣＤ、ＣＤ、ＭＰ３、ＰＣ、ＩＰＯＤなど外部に設ける映像・音声手段であることを特徴とする請求項１に記載するアダルトグッズ。
【請求項５】
前記環境を感知するということが、利用者の周囲の照明の明るさを感知することであることを特徴とする請求項１に記載するアダルトグッズ。
【請求項６】
前記生物信号を感知するということが、利用者の心拍数、呼吸、体温の反応を感知することであることを特徴とする請求項１に記載するアダルトグッズ。
【請求項７】
前記ケーブル接続式の感知手段、ケーブル接続式の電動のアダルトグッズの本体がいずれもワイヤレスで送受信を行うワイヤレスの感知手段、ワイヤレスの電動のアダルトグッズの本体に変更できることを特徴とする請求項１に記載するアダルトグッズ。
【考案の詳細な説明】
【技術分野】
【０００１】
この考案は、アダルトグッズに関し、特に音声信号や生理反応で動きを制御できるアダルトグッズに関する。
【背景技術】
【０００２】
現代の人々の性に対する考え方は、次第に開放的になってきているため、性生活を補助する関連製品の発展も進められている。市場で販売されているアダルトグッズでは、男女のどちらでも使用することができる様々なマッサージ器具、コンドームなどがある。アダルトグッズは電動、或いは手動に分けられ、特に、電動のアダルトグッズは、注目されているため、複数の関連企業が研究と開発を進め、市場で高い利益を上げようとしている。
【０００３】
中華民国の特許登録製品を見ると、アダルトグッズの開発の速度は次第に速くなってきている。また、これらアダルトグッズの使用者も次第に増加してきている。よって、現在販売されているような、電動か、手動かというような違いだけでは使用者の多様化する需要を満足させることができない。
【０００４】
よって、斬新で、様々な使用形式を具えたアダルトグッズの研究開発が望まれている。
【考案の開示】
【考案が解決しようとする課題】
【０００５】
この考案は、音声信号や生理信号ですばやく、様々な動作を制御することができるアダルトグッズを提供することを課題とする。
【課題を解決するための手段】
【０００６】
そこで、本考案者は従来の技術に見られる欠点に鑑みて鋭意研究を重ねた結果、外部接続式、或いは内部に設けて音声信号により様々な動作のモデルを提供する音声制御手段と、
環境、生物信号を感知して、音声制御手段に送信し、利用者の生理信号による動作のモデルを提供するケーブル接続式の感知手段と、
音声制御手段から駆動信号を受信して動作のモデルに対応して動きを変化させるケーブル接続式の電動のアダルトグッズの本体とを含んでなるアダルトグッズによって課題を解決できる点に着眼し、かかる知見に基づいて本発明を完成させた。
【０００７】
以下、この考案について具体的に説明する。
請求項１に記載のに記載のアダルトグッズは、外部接続式、或いは内部に設けて音声信号により様々な動作のモデルを提供する音声制御手段と、
環境、生物信号を感知して、音声制御手段に送信し、利用者の生理信号による動作のモデルを提供するケーブル接続式の感知手段と、
音声制御手段から駆動信号を受信して動作のモデルに対応して動きを変化させるケーブル接続式の電動のアダルトグッズの本体とを含んでなる。
【０００８】
請求項２に記載のアダルトグッズは、請求項１に記載の音声制御手段が、入力端と、出力端と、音声周波数入力端と、音声出力モジュールと、ミキサーと、音声周波数アンプと、音量・音質コントローラーと、モデル選択電気回路と、信号処理電気回路と、音声周波数分析電気回路と、音声周波数分類データ表と、運動モデルデータ表と、駆動用電気回路と、出力サイズ制御手段と、電源用電気回路とを含んでなる。
【０００９】
請求項３に記載のアダルトグッズは、請求項１に記載の動作モデルが、入力された音声の大きさの変化によって速さを変更するモデル、特定の周波数により動くモデル、特定の間隔の音声で動くモデル、外部の照明の明るさで制御されるモデル、利用者の生理信号の変化で制御されるモデル、変化が設定された制御のモデルなどを含んでなる。
【００１０】
請求項４に記載のアダルトグッズは、請求項１に記載の外部接続式が、ＤＶＤ、ＶＣＤ、ＣＤ、ＭＰ３、ＰＣ、ＩＰＯＤなど外部に設ける映像・音声手段である。
【００１１】
請求項５に記載のアダルトグッズは、請求項１に記載の環境を感知するということが、利用者の周囲の照明の明るさを感知することである。
【００１２】
請求項６に記載のアダルトグッズは、請求項１に記載の生物信号を感知するということが、利用者の心拍数、呼吸、体温の反応を感知することである。
【００１３】
請求項７に記載のアダルトグッズは、請求項１に記載のケーブル接続式の感知手段、ケーブル接続式の電動のアダルトグッズの本体がいずれもワイヤレスで送受信を行うワイヤレスの感知手段、ワイヤレスの電動のアダルトグッズの本体に変更できる。
【考案の効果】
【００１４】
この考案によるアダルトグッズは、様々な動作のモデルを具えているため、利用者の需要を満足させることができるという効果を有する。
【考案を実施するための最良の形態】
【００１５】
この考案は、音声信号や生理信号ですばやく、様々な動作を制御することができるアダルトグッズであって、外部接続式、或いは内部に設けて音声信号により様々な動作のモデルを提供する音声制御手段と、
環境、生物信号を感知して、音声制御手段に送信し、利用者の生理信号による動作のモデルを提供するケーブル接続式の感知手段と、
音声制御手段から駆動信号を受信して動作のモデルに対応して動きを変化させるケーブル接続式の電動のアダルトグッズの本体とを含んでなる。
かかるアダルトグッズの構造と特徴を詳述するために具体的な実施例を挙げ、図示を参照にして以下に説明する。
【実施例】
【００１６】
この考案の音声で制御する電動のアダルトグッズは、音声制御手段１と、ケーブル接続式の感知手段２と、ケーブル接続式の電動のアダルトグッズの本体３とを含んでなる。
【００１７】
該音声制御手段１は、ケーブル接続式の感知手段２を接続するために供する入力端Ｊ１を具えてなり、ケーブル接続方式で送信された信号を受信する。出力端Ｊ２は、電動のアダルトグッズの本体３を接続するために供し、ケーブル接続方式で様々な信号を送信し、信号に対応する動作を制御する。
【００１８】
該ケーブル接続方式の感知手段２は、環境、生物信号を感知する手段であって、使用者の周囲の照明の明るさ及び使用者の心拍数、体温、呼吸などの生理反応を感知して電子信号に変換する。
【００１９】
図１は、この考案のアダルトグッズの電気回路図を示したものである。図面によれば、音声制御手段１は、音声周波数入力端Ａ１と、音声出力モジュールＡ２と、ミキサーＡ３と、音声周波数アンプＡ４と、音量・音質コントローラーＡ５と、モデル選択電気回路Ａ６と、信号処理電気回路Ａ７と、音声周波数分析電気回路Ａ８と、運動モデルデータ表Ａ１０と、駆動用電気回路Ａ１２と、出力サイズ制御手段Ａ１３と、電源用電気回路Ａ１５とを含んでなる。
【００２０】
該音声周波数入力端Ａ１は、映像音声保存手段を外部接続するために供し、３．５ｍｍの円形のコネクタ、ＲＣＡコネクタ、或いはＤＶＤ、ＶＣＤ、ＣＤ、ＭＰ３、ＰＣ、ＩＰＯＤなどの映像音声設備を接続する音声コネクタである。
【００２１】
該音声出力モジュールＡ２はどのような外部の映像音声信号の音声信号を入力しないため、装置の内部に予め設定されている音声信号を、外部の映像音声保存媒体が信号を入力する場合に、消去、或いはシャットアウトするとともに、スイッチＳＷ１に接続する。
【００２２】
該ミキサーＡ３は、２つ以上の入力された音声を合わせて１つの音声として出力する。
【００２３】
該音声周波数アンプＡ４は、音声信号の周波数を増幅する作用を備えてなり、スイッチSW２を介して接続を制御してミキサーＡ３が音声信号の出力レベルを音声周波数アンプＡ４で高めて出力するとともに、イヤフォンコネクタＡ１７を通して左右のスピーカーＳＰＬ、ＳＰＲを経由して音声を外部に出力する。
【００２４】
音量・音質コントローラーＡ５は、上述の入力した音声信号を様々な音質及び音量に制御・変化するために供する。
【００２５】
モデル選択式電気回路Ａ６は、予め設定された様々な制御モデルから一つを選択して使用するために供する。様々なモデルには入力された音声の大きさに合わせて速さを変更するモデル、特定の周波数に合わせて動くモデル、特定の間隔の音で動くモデル、外部の照明の明るさで制御されるモデル、利用者の生理信号の変化で制御されるモデル、変化が設定された制御のモデルなどを含んでなる。
【００２６】
信号処理電気回路Ａ７は、ケーブル接続式の感知手段２を通して出力された電子信号を、計算し易い低周波の電圧に転換する。
【００２７】
音声周波数分析電気回路Ａ８は、受信された音声信号を強弱、周波数、間隔の長さ、制御モデルに基づいて分析し、その結果を予め保存されている音声周波数分類データ表Ａ９と比較して近似するモデル信号を選択する。
【００２８】
運動モデルデータ表Ａ１0は、予め保存された運動方法のモデルデータであって、前述の選択されたモデル信号に合わせて駆動用電気回路Ａ１２に送信される。
【００２９】
駆動用電気回路Ａ１２は、ケーブル接続式のアダルトグッズの本体３を駆動させて信号に対応する動きをさせる。
【００３０】
出力サイズ制御手段Ａ１３は、ケーブル接続式のするアダルトグッズの本体３の駆動信号の強弱を調整するために供する。
【００３１】
電源用電気回路Ａ１５は、音声周波数入力端Ａ１及びワイヤレス信号発信モジュールＡ１４に必要な電力を供給する。
【００３２】
上述の構成からなるアダルトグッズは、ケーブル接続式のアダルトグッズの本体を接続していない場合、ベッドの枕元に置くステレオのような室内の音響設備として使用することができるとともに、内部、或いは外部に接続するアナログ式の映像・音声保存手段（ＤＶＤ、ＶＣＤ、ＣＤ、ＭＰ３、ＰＣ、ＩＰＯＤなど）を介してイヤフォン、或いはスピーカーなどから音声を出力することができるため、他人に使用方法やアダルトグッズだと知られて恥ずかしいなどの状況が発生することを防ぐことができる。
【００３３】
また、ケーブル接続式のアダルトグッズの本体３に接続すると、外部接続式の映像・音声保存手段（ＤＶＤ、ＶＣＤ、ＣＤ、ＭＰ３、ＰＣ、ＩＰＯＤなど）、或いは内部に設けられた音声出力モジュールＡ２を選択して使用し、音声周波数アンプＡ４を介して、その音声信号を増幅させた後、イヤフォンコネクタＡ１７に接続したイヤフォン、或いはスピーカーから音声を出力する。さらに、音声信号は同時にモデル選択電気回路Ａ６を介してどのモデルをしようするか決定した後、音声周波数分析電気回路Ａ８に受信され、音声の強弱、周波数、間隔の長さ、制御モデルに基づいて分析した後、その結果を音声周波数分類データ表Ａ９の近似するモデル信号と照らし合わせて選択し、選択したモデルに合わせて予め保存された運動モデルデータ表Ａ１０をから対応する方程式を選択して駆動用電気回路Ａ１２に送信するとともに、ケーブル接続式のアダルトグッズの本体３に対応する動きをさせる。
【００３４】
使用する場合には、ケーブル接続式の感知手段２を使用者の体に身につけて、利用者の心拍数、呼吸、体温など様々な数値を感知して信号処理電気回路Ａ７を介して計算し易い低周波の電圧に転換するとともに、音声周波数分類データ表Ａ９に合わせて異なる駆動モデル信号に合わせてケーブル接続式のアダルトグッズの本体３が即座に動作を変化させるようにする。
【００３５】
図２は、この考案の他の実施例を示したブロック図である。図面によれば、音声制御手段１は、ワイヤレスの感知手段４と、ワイヤレスのアダルトグッズの本体５と、を含んでなる。
【００３６】
音声制御手段１は、ワイヤレスの感知手段４から送信された信号を受信するワイヤレス方式の信号受信モジュールＡ１１と、駆動信号をワイヤレス方法でワイヤレスのアダルトグッズの本体５に送信するために供するとともに、対応する動作をさせるワイヤレス信号送信モジュールＡ１４と、を内部に設けてなる。
【００３７】
また、ワイヤレスの感知手段４は、内部に生物信号感知手段を設けている以外に、電源及びワイヤレス出力モジュールも具えている。ワイヤレスの電動のアダルトグッズの本体５は、電池電気回路、電動手段、増幅電気回路、強弱制御、設定されたモデル、ワイヤレス受信手段などを組み合わせてなる。ワイヤレスの電動のアダルトグッズ５は、制御端末であるため、ワイヤレス受信手段でミクロの駆動信号を受信して増幅電気回路で増幅させて電動手段を駆動する。ワイヤレスの制御でない場合には、設定されたモデルを選択して使用する。
【００３８】
上述の構造からなるこの考案を利用する場合には、音声制御手段１の作動方法がいずれも上述の実施例と同様である。
【００３９】
しかしながら、利用者の体にワイヤレスの感知手段４を見つけて、心拍数、呼吸、体温など様々な数値を検知して、ワイヤレスの送信方法で信号を信号処理電気回路Ａ７に送信し、転換処理を行い、ワイヤレスの電動のダルトグッズの本体５を駆動させる。この実施例ではワイヤレスを採用しているため、ケーブルによって行動が制限されることがない。
【００４０】
この考案のアダルトグッズは、外部接続式の映像・音声保存手段、或いは音声出力モジュールを内部に設けて音声信号を提供し、利用者の生理的な反応の数値を信号に転換して、即座に、或いは設定されたモデルによりアダルトグッズの本体を制御する。
【００４１】
よって、従来のアダルトグッズが単一の設定されたモデルに従った動きしかできないという従来の欠点を改善し、動きに変化をもたせた。
【００４２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４３】
【図１】この考案のアダルトグッズの電気回路を示したブロック図である。
【図２】この考案のアダルトグッズの電気回路を示した他のブロック図である。
【符号の説明】
【００４４】
１     音声制御手段
２     感知手段
３     アダルトグッズの本体
４     感知手段
５     アダルトグッズの本体  
Ａ１   音声周波数入力端
Ａ２   音声出力モジュール
Ａ３   ミキサー
Ａ４   音声周波数アンプ
Ａ５   音量・音質コントローラー
Ａ６   モデル選択電気回路
Ａ７   信号処理電気回路
Ａ８   音声周波数分析電気回路
Ａ９   音声周波数分類データ表
Ａ１０ 運動モデルデータ表
Ａ１１ 信号受信モジュール
Ａ１２ 駆動用電気回路
Ａ１３ 出力サイズ制御手段
Ａ１４ ワイヤレス信号送信モジュール
Ａ１５ 電源用電気回路
Ａ１７ イヤフォンコネクタ
Ｊ１   入力端
Ｊ２   出力端
ＳＰＬ，ＳＰＲ   スピーカー
ＳＷ１ スイッチ
ＳＷ２ スイッチ
【図１】
0003135671.tif 000003
【図２】
0003135671.tif 000004
【手続補正書】
【提出日】平成19年7月18日(2007.7.18)
【手続補正１】
【補正対象書類名】実用新案登録請求の範囲
【補正対象項目名】請求項４
【補正方法】変更
【補正の内容】
【請求項４】
前記外部接続式が、ＤＶＤ、ＶＣＤ、ＣＤ、ＭＰ３、ＰＣ、ＩＰＯＤ（登録商標）など外部に設ける映像・音声手段であることを特徴とする請求項１に記載するアダルトグッズ。
【手続補正２】
【補正対象書類名】明細書
【補正対象項目名】００１０
【補正方法】変更
【補正の内容】
【００１０】
請求項４に記載のアダルトグッズは、請求項１に記載の外部接続式が、ＤＶＤ、ＶＣＤ、ＣＤ、ＭＰ３、ＰＣ、ＩＰＯＤ（登録商標）など外部に設ける映像・音声手段である。
【手続補正３】
【補正対象書類名】明細書
【補正対象項目名】００２０
【補正方法】変更
【補正の内容】
【００２０】
該音声周波数入力端Ａ１は、映像音声保存手段を外部接続するために供し、３．５ｍｍの円形のコネクタ、ＲＣＡコネクタ、或いはＤＶＤ、ＶＣＤ、ＣＤ、ＭＰ３、ＰＣ、ＩＰＯＤ（登録商標）などの映像音声設備を接続する音声コネクタである。
【手続補正４】
【補正対象書類名】明細書
【補正対象項目名】００３２
【補正方法】変更
【補正の内容】
【００３２】
上述の構成からなるアダルトグッズは、ケーブル接続式のアダルトグッズの本体を接続していない場合、ベッドの枕元に置くステレオのような室内の音響設備として使用することができるとともに、内部、或いは外部に接続するアナログ式の映像・音声保存手段（ＤＶＤ、ＶＣＤ、ＣＤ、ＭＰ３、ＰＣ、ＩＰＯＤ（登録商標）など）を介してイヤフォン、或いはスピーカーなどから音声を出力することができるため、他人に使用方法やアダルトグッズだと知られて恥ずかしいなどの状況が発生することを防ぐことができる。
【手続補正５】
【補正対象書類名】明細書
【補正対象項目名】００３３
【補正方法】変更
【補正の内容】
【００３３】
また、ケーブル接続式のアダルトグッズの本体３に接続すると、外部接続式の映像・音声保存手段（ＤＶＤ、ＶＣＤ、ＣＤ、ＭＰ３、ＰＣ、ＩＰＯＤ（登録商標）など）、或いは内部に設けられた音声出力モジュールＡ２を選択して使用し、音声周波数アンプＡ４を介して、その音声信号を増幅させた後、イヤフォンコネクタＡ１７に接続したイヤフォン、或いはスピーカーから音声を出力する。さらに、音声信号は同時にモデル選択電気回路Ａ６を介してどのモデルをしようするか決定した後、音声周波数分析電気回路Ａ８に受信され、音声の強弱、周波数、間隔の長さ、制御モデルに基づいて分析した後、その結果を音声周波数分類データ表Ａ９の近似するモデル信号と照らし合わせて選択し、選択したモデルに合わせて予め保存された運動モデルデータ表Ａ１０をから対応する方程式を選択して駆動用電気回路Ａ１２に送信するとともに、ケーブル接続式のアダルトグッズの本体３に対応する動きをさせる。